(57)【要約】【課題】設置環境や液体の貯蔵状態に拘わらず傾斜状態で配される底板に歪が生じることがない液体タンクを提供する。【解決手段】リング枠２の周方向の複数個所をアンカー３によって基礎部１に固定し、リング枠２の径方向で一端から他端に向かって高さが漸次低くなる勾配支持部材４をリング枠２に固定し、勾配支持部材４に円形の勾配基礎枠５の周縁部を固定し、勾配基礎枠５にタンクの底板１１を配して溶接により勾配基礎枠５に固定し、設置環境や液体の貯蔵状態に拘わらず傾斜状態で配される底板１１の歪をなくした焼酎タンクとする。【選択図】      図１
2006193171.tif 000002
【特許請求の範囲】
【請求項１】
底板の少なくとも中央部位が溶接により基礎枠に固定されていることを特徴とする液体タンク。
【請求項２】
リング状のリング枠が水平に設けられ、リング枠の周方向の複数個所に径方向で一端から他端に向かって高さが漸次低くなる勾配支持部材が固定され、勾配支持部材に円形の勾配基礎枠を固定することで勾配基礎枠の面が傾斜状態に配置され、勾配基礎枠にタンクの底板が配されると共に底板の少なくとも中央部位が溶接により勾配基礎枠に固定されていることを特徴とする液体タンク。
【請求項３】
リング状のリング枠が水平に設けられ、リング枠の周方向の複数個所がアンカーによって基礎部に固定され、リング枠の径方向で一端から他端に向かって高さが漸次低くなる勾配支持部材がアンカーによる固定部におけるリング枠に固定され、勾配支持部材に円形の勾配基礎枠の周縁部を固定することで勾配基礎枠の面が傾斜状態に配置され、勾配基礎枠の面の適宜箇所が支持アンカーによって基礎部に固定され、勾配基礎枠にタンクの底板が配されると共に底板の少なくとも中央部位に位置する支持アンカーの部位で勾配基礎枠と底板が溶接により固定されることで勾配基礎枠に底板が固定されていることを特徴とする液体タンク。
【請求項４】
請求項２又は３において、底板の径は勾配基礎枠の径よりも一回り大きく形成され、勾配基礎枠の外側に位置する底板の裏面が勾配基礎枠に溶接により固定されていることを特徴とする液体タンク。
【請求項５】
請求項２〜４のいずれかにおいて、底板が複数の底板片に分割されていると共に、底板片が溶接により互いに接合されていることを特徴とする液体タンク。
【請求項６】
請求項５において、底板片同士の接合部と勾配基礎枠に対する底板の接合部とが共通の部位とされて底板片同士の接合及び勾配基礎枠への固定が共通の溶接部で構成されていることを特徴とする液体タンク。
【請求項７】
請求項２〜６のいずれかにおいて、底板の円周の外周縁に筒状のタンク本体が固定されていることを特徴とする液体タンク。
【請求項８】
請求項２〜７のいずれかにおいて、底板の最低部位置にはピット穴が形成され、タンクには焼酎が貯蔵され貯蔵された焼酎がピット穴を介して取り出されることを特徴とする液体タンク。
【請求項９】
リング状のリング枠が水平に設けられ、
リング枠の周方向の複数個所がアンカーによって基礎部に固定され、リング枠の径方向で一端から他端に向かって高さが漸次低くなる勾配支持部材がアンカーによる固定部におけるリング枠に固定され、
勾配支持部材に円形の勾配基礎枠の周縁部を固定することで勾配基礎枠の面が傾斜状態に配置され、勾配基礎枠の面の適宜箇所が支持アンカーによって基礎部に固定され、
勾配基礎枠にタンクの底板が配され、底板は複数の底板片に分割されていると共に、底板片が溶接により互いに接合され、底板片の接合部と勾配基礎枠に対する底板の接合部とが共通の部位とされて底板片同士の接合及び勾配基礎枠への固定が共通の溶接部で構成され、
底板の径は勾配基礎枠の径よりも一回り大きく形成され、勾配基礎枠の外側に位置する底板の裏面が勾配基礎枠に溶接により固定され、
底板の円周の外周縁に筒状のタンク本体が固定され、
底板の最低部位置にはピット穴が形成され、タンクには焼酎が貯蔵され貯蔵された焼酎がピット穴を介して取り出される
ことを特徴とする液体タンク。
【請求項１０】
高さが漸次低くなる勾配支持部材を介してリング状のリング枠に円形の勾配基礎枠を支持し、
周方向の複数個所をアンカーによって基礎部に固定することで勾配基礎枠が支持されたリング枠を水平に配置し、
リング枠の内周縁を型枠の位置決めに用いて勾配基礎枠にコンクリートを打設し、
勾配基礎枠にタンクの底板を構成する底板片を配置し、
底板片を互いに溶接接合すると共に、溶接接合部を勾配基礎枠との接合部と共通の溶接部として勾配基礎枠に固定し、
勾配基礎枠の外側に位置する底板の裏面を勾配支持枠に溶接固定し、
底板の円周の外周縁に筒状のタンク本体が固定した
ことを特徴とする液体タンクの製造方法。
【発明の詳細な説明】
【技術分野】
【０００１】
本発明は、底板の歪が少なく貯蔵量の把握が的確に行える液体タンク及び液体タンクの製造方法に関し、特に、貯蔵量により酒税が検定される焼酎を貯蔵する焼酎貯蔵用の液体タンク及び液体タンクの製造方法として用いて好適である。
【背景技術】
【０００２】
焼酎は、米、麦、芋、そば等の素材を原料として製造される蒸留酒である。例えば、芋を原料とした焼酎は、一次仕込みとして米麹に水と酵母を加えて熟成させることにより、米のデンプン質を糖化させると共に、酵母によりこの糖分をアルコール発酵させる、所謂、並行複発酵により一次もろみを造る。次に、二次仕込みとして、原料となる破砕した蒸し芋と仕込み水を一次もろみに加え、芋のデンプン質を発酵させて二次もろみを造る。その後、二次もろみを蒸留し、所定期間貯蔵タンクに貯蔵して成熟させることで焼酎が造られる。
【０００３】
焼酎や焼酎廃液を貯蔵する貯蔵タンクは、傾斜した基礎枠の上にタンク本体に設けられた底板が載置され、基礎枠側に対してタンク本体が固定された状態のものが一般に使用されている（例えば、特許文献１参照）。傾斜した基礎枠の上に底板が載置されているため、底板の最低部に排出口を設けることで、大型の貯蔵タンクであっても内部の焼酎や焼酎廃液の排出が容易に行える。
【０００４】
【特許文献１】特開２００２−３２１７９１号公報
【発明の開示】
【発明が解決しようとする課題】
【０００５】
従来の貯蔵タンク（液体タンク）は、傾斜した基礎枠に対して底板が載置され、基礎枠側にタンク本体が固定されて設置されているのが一般的である。このため、底板は基礎枠に対して直接固定されていない状態であり、貯蔵タンクの設置環境や焼酎の貯蔵状態によっては底板に歪が発生する虞があった。焼酎などの酒類は酒税の関係から貯蔵量に対して酒税が検定される。底板に歪が発生することで、液量（重量）により底板が上下に動いてしまい、検尺の数値にばらつきが生じて実際の液量と検尺値とが乖離した状態になる事が考えられ、酒税検定が困難になる虞があった。
【０００６】
本発明は上記状況に鑑みてなされたもので、設置環境や液体の貯蔵状態に拘わらず底板に歪が生じることがない液体タンク及び液体タンクの製造方法を提供することを目的とする。
【課題を解決するための手段】
【０００７】
上記目的を達成するための本発明の第１の態様は、底板の少なくとも中央部位が溶接により基礎枠に固定されていることを特徴とする液体タンクにある。
【０００８】
第１の態様では、底板の少なくとも中央部位が溶接により基礎枠に固定されるため、液体タンクの設置環境や液体の貯蔵状態に拘わらず底板に歪が生じることがなくなる。
【０００９】
上記目的を達成するための本発明の第２の態様は、リング状のリング枠が水平に設けられ、リング枠の周方向の複数個所に径方向で一端から他端に向かって高さが漸次低くなる勾配支持部材が固定され、勾配支持部材に円形の勾配基礎枠を固定することで勾配基礎枠の面が傾斜状態に配置され、勾配基礎枠にタンクの底板が配されると共に底板の少なくとも中央部位が溶接により勾配基礎枠に固定されていることを特徴とする液体タンクにある。
【００１０】
第２の態様では、底板の少なくとも中央部位が溶接により勾配基礎枠に固定されるため、液体タンクの設置環境や液体の貯蔵状態に拘わらず傾斜状態で配される底板に歪が生じることがなくなる。
【００１１】
上記目的を達成するための本発明の第３の態様は、リング状のリング枠が水平に設けられ、リング枠の周方向の複数個所がアンカーによって基礎部に固定され、リング枠の径方向で一端から他端に向かって高さが漸次低くなる勾配支持部材がアンカーによる固定部におけるリング枠に固定され、勾配支持部材に円形の勾配基礎枠の周縁部を固定することで勾配基礎枠の面が傾斜状態に配置され、勾配基礎枠の面の適宜箇所が支持アンカーによって基礎部に固定され、勾配基礎枠にタンクの底板が配されると共に底板の少なくとも中央部位に位置する支持アンカーの部位で勾配基礎枠と底板が溶接により固定されることで勾配基礎枠に底板が固定されていることを特徴とする液体タンクにある。
【００１２】
第３の態様では、底板の少なくとも中央部位が支持アンカーの部位で勾配基礎枠に溶接により固定されるため、液体タンクの設置環境や液体の貯蔵状態に拘わらず傾斜状態で配される底板に歪が生じることがなくなる。
【００１３】
本発明の第４の態様は、第２又は３の態様において、底板の径は勾配基礎枠の径よりも一回り大きく形成され、勾配基礎枠の外側に位置する底板の裏面が勾配基礎枠に溶接により固定されていることを特徴とする液体タンクにある。
【００１４】
第４の態様では、勾配基礎枠の外側に位置する底板の裏面が勾配基礎枠に溶接により固定されるため、溶接による底板の熱歪を低減することができる。
【００１５】
本発明の第５の態様は、第２〜４のいずれかの態様において、底板が複数の底板片に分割されていると共に、底板片が溶接により互いに接合されていることを特徴とする液体タンクにある。
【００１６】
第５の態様では、大径の底板であっても勾配基礎枠への取り付けが容易に行える。
【００１７】
本発明の第６の態様は、第５の態様において、底板片同士の接合部と勾配基礎枠に対する底板の接合部とが共通の部位とされて底板片同士の接合及び勾配基礎枠への固定が共通の溶接部で構成されていることを特徴とする液体タンクにある。
【００１８】
第６の態様では、底板同士の接合と底板の勾配基礎枠への固定が３点溶接により行え、底板片同士の接合及び基礎枠への固定が確実且つ容易に行える。
【００１９】
本発明の第７の態様は、第２〜６のいずれかの態様において、底板の円周の外周縁に筒状のタンク本体が固定されていることを特徴とする液体タンクにある。
【００２０】
第７の態様では、勾配基礎枠に固定された底板に対して筒状のタンク部材を取り付けることができる。
【００２１】
本発明の第８の態様は、第２〜７のいずれかの態様において、底板の最低部位置にはピット穴が形成され、タンクには焼酎が貯蔵され貯蔵された焼酎がピット穴を介して取り出されることを特徴とする液体タンクにある。
【００２２】
第８の態様では、下部に位置するピット穴から焼酎を取り出すことができる焼酎貯蔵用の液体タンクとすることができる。
【００２３】
上記目的を達成するための本発明の第９の態様は、リング状のリング枠が水平に設けられ、リング枠の周方向の複数個所がアンカーによって基礎部に固定され、リング枠の径方向で一端から他端に向かって高さが漸次低くなる勾配支持部材がアンカーによる固定部におけるリング枠に固定され、勾配支持部材に円形の勾配基礎枠の周縁部を固定することで勾配基礎枠の面が傾斜状態に配置され、勾配基礎枠の面の適宜箇所が支持アンカーによって基礎部に固定され、勾配基礎枠にタンクの底板が配され、底板は複数の底板片に分割されていると共に、底板片が溶接により互いに接合され、底板片の接合部と勾配基礎枠に対する底板の接合部とが共通の部位とされて底板片同士の接合及び勾配基礎枠への固定が共通の溶接部で構成され、底板の径は勾配基礎枠の径よりも一回り大きく形成され、勾配基礎枠の外側に位置する底板の裏面が勾配基礎枠に溶接により固定され、底板の円周の外周縁に筒状のタンク本体が固定され、底板の最低部位置にはピット穴が形成され、タンクには焼酎が貯蔵され貯蔵された焼酎がピット穴を介して取り出されることを特徴とする液体タンクにある。
【００２４】
第９の態様では、底板の少なくとも中央部位が支持アンカーの部位で勾配基礎枠に溶接により固定されるため、液体タンクの設置環境や液体の貯蔵状態に拘わらず傾斜状態で配される底板に歪が生じることがなくなり、勾配基礎枠の外側に位置する底板の裏面が勾配基礎枠に溶接により固定されるため、溶接による底板の熱歪を低減することができ、大径の底板であっても勾配基礎枠への取り付けが容易に行え、底板同士の接合と底板の勾配基礎枠への固定が３点溶接により行え、底板片同士の接合及び基礎枠への固定が確実且つ容易に行え、勾配基礎枠に固定された底板に対して筒状のタンク部材を取り付けることができ、下部に位置するピット穴から焼酎を取り出すことができる焼酎貯蔵用の液体タンクとすることができる。
【００２５】
上記目的を達成するための本発明の第１０の態様は、高さが漸次低くなる勾配支持部材を介してリング状のリング枠に円形の勾配基礎枠を支持し、周方向の複数個所をアンカーによって基礎部に固定することで勾配基礎枠が支持されたリング枠を水平に配置し、リング枠の内周縁を型枠の位置決めに用いて勾配基礎枠にコンクリートを打設し、勾配基礎枠にタンクの底板を構成する底板片を配置し、底板片を互いに溶接接合すると共に、溶接接合部を勾配基礎枠との接合部と共通の溶接部として勾配基礎枠に固定し、勾配基礎枠の外側に位置する底板の裏面を勾配支持枠に溶接固定し、底板の円周の外周縁に筒状のタンク本体が固定したことを特徴とする液体タンクの製造方法にある。
【００２６】
第１０の態様では、底板が勾配基礎枠に支持アンカーの部位で溶接により固定されるため、液体タンクの設置環境や液体の貯蔵状態に拘わらず傾斜状態で配される底板に歪が生じることがない液体タンクを製造することができる。
【発明の効果】
【００２７】
本発明の液体タンクは、設置環境や液体の貯蔵状態に拘わらず底板に歪が生じることがない液体タンクとすることができる。
【００２８】
また、本発明の液体タンクの製造方法は、設置環境や液体の貯蔵状態に拘わらず底板に歪が生じることがない液体タンクを製造することができる。
【発明を実施するための最良の形態】
【００２９】
本実施形態例は、液体タンクとして焼酎を貯蔵する焼酎タンクを例に挙げて説明してある。本発明は、液体タンクとして焼酎タンクに限らず、水やジュース等の飲料水を貯蔵するタンクとして適用することが可能である。
【００３０】
本発明の一実施形態例に係る焼酎タンクは、底板の少なくとも中央部位が溶接により基礎枠に固定されている。即ち、リング状のリング枠が水平に設けられ、リング枠の周方向の複数個所がアンカーによってコンクリートの基礎部に固定され、リング枠の径方向で一端から他端に向かって高さが漸次低くなる勾配支持部材がアンカーによる固定部におけるリング枠に固定され、勾配支持部材に円形の勾配基礎枠の周縁部を固定することで勾配基礎枠の面が傾斜状態に配置され、勾配基礎枠の面の適宜箇所が支持アンカーによってコンクリートの基礎部に固定され、勾配基礎枠の部位を含めてコンクリートが打設されて勾配基礎枠が基礎部とされ、勾配基礎枠にタンクの底板が配されると共に底板の少なくとも中央部位に位置する支持アンカーの部位で勾配基礎枠と底板が溶接により固定されることで勾配基礎枠に底板が固定されている。
【００３１】
このため、底板の少なくとも中央部位が勾配基礎枠に支持アンカーの部位で溶接により固定されるため、液体タンクの設置環境や液体の貯蔵状態に拘わらず傾斜状態で配される底板に歪が生じることがなくなる。
【００３２】
図１乃至図１２に基づいて本発明の液体タンク（焼酎タンク）の実施形態例を具体的に説明する。
【００３３】
図１には本発明の一実施形態例に係る焼酎タンクの断面、図２には図１中の底板を表す平面、図３には底板及びタンク本体が固定されていない状態の図１中矢印ＩＩＩ部の詳細状況、図４には図３中のＩＶ−ＩＶ線矢視、図５にはタンク本体が固定された状態の図１中矢印ＩＩＩ部の詳細状況、図６には図１中ＶＩ部の詳細状況を示してある。また、図７乃至図１２には焼酎タンクの製造方法を説明する工程説明を示してある。
【００３４】
図１、図２に示すように、コンクリートの基礎部１にはリング状のリング枠２が水平に設けられ、リング枠２の周方向の複数個所がアンカー３によって基礎部１に固定されている。アンカー３の部位には勾配支持部材４（図５参照、詳細構造は後述する）が固定され、勾配支持部材４はリング枠２の径方向で一端から他端に向かって（図１中左端から右端に向かって）高さが漸次低くなっている。複数の勾配支持部材４には円形で格子状の枠体とされた勾配基礎枠５（詳細な全体形状は後述する図８参照）の周縁部が固定され、勾配基礎枠５の上面が傾斜状態に配置されている。勾配基礎枠５の面の適宜箇所は支持アンカー６によって基礎部１に固定され、勾配基礎枠５の部位を含めてコンクリートが打設されている。そして、上面が傾斜状態とされた勾配基礎枠５には円形の底板１１が配され、底板１１の外周縁部にタンク本体２１が固定されている。
【００３５】
図３、図４、図５に基づいて勾配支持部材４の構成を説明する。
【００３６】
図に示すように、リング枠２にはアンカー３がボルト部を介してナット３ａにより固定され、リング枠２のアンカー３に対する固定部には円周方向の内側に延びるベース板７の一端（図３、図５中左端）がアンカー３に固定されている。ベース板７の多端（図３、図５中右端）には矩形板状の基礎枠支持板８が立設されている。即ち、ベース板７及び基礎枠支持板８によって勾配支持部材４が構成されている。リング枠２の円周方向に複数設けられた勾配支持部材４の基礎枠支持板８は、リング枠２の径方向で一端から他端に向かって高さが漸次低く形成されている。高さが低くなるように形成された複数の基礎枠支持板８の上端に円形の勾配基礎枠５（全体の形状は図２及び後述する図８参照）の周縁が固定され、勾配基礎枠５の上面が傾斜状態にされる。
【００３７】
尚、図５に示すように、基礎枠支持板８を含めて勾配基礎枠５の上面の部位までコンクリートが打設された状態になっているが、リング枠２の内側の縁がコンクリート打設用の型枠３１の位置決めストッパとなるため、リング枠２を備えたことで勾配基礎枠５の上面の部位までのコンクリートの打設を正確に且つ容易に実施することができる。
【００３８】
図２、図６に基づいて勾配基礎枠５及び支持アンカー６を説明する。
【００３９】
図２に示すように、勾配基礎枠５は枠部５ａが格子状の円形に形成された枠体とされている（後述する図８も合わせて参照）。また、図２、図６に示すように、枠部５ａの交差部５ｂに対応して基礎部１には支持アンカー６が固定され、交差部５ｂの部位で枠部５ａが支持アンカー６の上端に固定されている。また、交差部５ｂ以外の枠部５ａの部位に対応する適宜位置にも支持アンカー６が固定され、枠部５ａの適宜位置が支持アンカー６の上端に固定されている。つまり、勾配基礎枠５は支持アンカー６によって浮き上がりが防止されている。
【００４０】
図２、図５、図６に基づいて底板１１を説明する。
【００４１】
図２に示すように円形の底板１１は複数枚に分割された底板片１１ａが互いに溶接により接合されて構成されている。図５に示すように、底板片１１ａが互いに溶接により接合された底板１１の径は勾配基礎枠５の径よりも一回り大きく形成され、勾配基礎枠５の外側に位置する底板１１の裏面が勾配基礎枠５に溶接により固定されて溶接部１３とされている。底板１１の裏面と勾配基礎枠５との溶接は勾配支持部材４の部位に施工されている。勾配支持部材４の部位で勾配基礎枠５の外側に位置する底板１１の裏面が勾配基礎枠５に固定されていることで、底板片１１ａが溶接接合された底板１１の径方向に縮む応力が抑制される。
【００４２】
図２、図６に示すように、底板片１１ａ同士は溶接により接合されると共に（後述する図１０、図１１も合わせて参照）、底板片１１ａの接合部と勾配基礎枠５に対する底板１１の接合部とが共通の部位とされて底板片１１ａ同士の接合及び勾配基礎枠５への固定が共通の溶接部１３で構成されている。即ち、２枚の底板片１１ａ及び勾配基礎枠５の３点が共通の溶接部１３で拘束されている。
【００４３】
図１、図５に基づいてタンク本体２１を説明する。
【００４４】
図に示すように、底板１１の周縁にはタンク本体２１の内径側が溶接により固定されている。具体的には、タンク本体２１は複数の帯状鋼板を繋いで巻回することで円筒状に固定され、円筒状の筒体が複数段重ねられることでタンク本体２１が構成される（後述する図１２も参照）。図１に示すように、供給口２２を備えた屋根部２３が設けられて焼酎タンク２５とされる。
【００４５】
図１、図２に示すように、底板１１の最低部位置（図中右端位置）にはピット３２につながるピット穴１５が形成され、ピット３２には図示しない開閉バルブが取り付けられる。焼酎タンク２５に貯蔵された焼酎はピット３２から外部に取り出される。
【００４６】
上述した焼酎タンク２５は、底板１１が溶接により勾配基礎枠５に固定されるため、焼酎タンク２５の設置環境や焼酎の貯蔵状態（貯蔵量）に拘わらず傾斜状態で配される底板１１に歪が生じることがなくなる。このため、液量（重量）により底板１１が上下に動くことがなく検尺の数値にばらつきが生じず、実際の液量と検尺値とが常に一致した状態になり（液深に変化がない）、酒税検定を正確且つ容易に実施できる。
【００４７】
また、底板１１は複数の底板片１１ａが溶接接合されて構成されているので、大径の底板１１であっても勾配基礎枠５への取り付けが容易に行え、勾配基礎枠５の外側に位置する底板１１の裏面が勾配基礎枠５に溶接により固定されるため、溶接による底板１１の径方向の熱歪を低減することができる。そして、底板１１を複数の底板片１１ａで構成したことにより、歪を分散して全体の歪をなくすことができる。
【００４８】
また、底板片１１ａの接合部と勾配基礎枠５に対する底板１１の接合部とが共通の溶接部１３とされて底板片１１ａ同士の接合及び勾配基礎枠５への固定が共通の部位とされるので、底板片１１ａ同士の接合と底板１１の勾配基礎枠５への固定が３点溶接により施工でき、底板片１１ａ同士の接合及び勾配基礎枠５の固定が確実且つ容易に行える。
【００４９】
また、底板１１の円周の外周縁に筒状のタンク本体２１が固定され、底板１１の最低部位置にはピット穴１５が形成され、貯蔵された焼酎がピット穴１５を介して取り出されるので、勾配基礎枠５に固定された底板１１に対して筒状のタンク本体２１を取り付けることができ、下部に位置するピット穴１５から焼酎を取り出すことができる焼酎貯蔵用の焼酎タンク２５とすることができる。更に、底板１１に歪が生じないためピット穴１５（取り出し口）を低い位置に配置することができるので、取り出し口周りの焼酎タンク２５の設計の自由度を増すことができる。
【００５０】
図７乃至図１２に基づいて上述した焼酎タンク２５の製造方法を説明する。
【００５１】
図７に示すように、リング枠２は図示しない基礎部に設けられたアンカー３に固定される。図８に示すように、例えば、予めリング枠２に高さが漸次低くなる勾配支持部材４を介して勾配基礎枠５を一体的に組み立てておき、周方向の複数個所を勾配基礎枠５が一体となったリング枠２をアンカー３によって基礎部に固定することでリング枠２を水平に支持する。この時、基礎部に設けられた支持アンカー６が勾配基礎枠５の交差部５ｂ（枠部５ａの適宜位置）に対応する。
【００５２】
図９に示すように、リング枠２の内周縁を位置決めストッパとして型枠（図示省略）を配置し勾配基礎枠５にコンクリートを打設して基礎部１を形成する。基礎部１が形成された後、勾配基礎枠５の上面に底板１１を配置する。即ち、図１０に示すように、勾配基礎枠５の上面に底板片１１ａを配置して底板片１１ａ同士の接合と底板１１の勾配基礎枠５への固定を３点溶接で施工して溶接部１３を形成する。
【００５３】
図１１に示すように、複数枚の底板片１１ａ同士の溶接及び勾配基礎枠５への溶接が終了して底板１１が勾配基礎枠５に溶接固定されると、勾配支持部材４の部位に対応する勾配基礎枠５の外側に位置する底板１１の裏面を、勾配基礎枠５に溶接により固定して溶接部１２とする。
【００５４】
底板１１が勾配基礎枠５に所定の状態で溶接により固定されると、図１２に示すように、タンク本体２１を構成する筒部材２１ａを底板１１の円周の外周縁に溶接により固定すると共に、筒部材２１ａ同士を積上げてタンク本体２１を形成する。
【００５５】
従って、底板１１が支持アンカー６を含む部位で勾配基礎枠５に溶接により固定されるため、設置環境や焼酎の貯蔵状態に拘わらず傾斜状態で配される底板１１に歪が生じることがなく液深の変化がない焼酎タンク２５を製造することができる。
【産業上の利用可能性】
【００５６】
本発明は、底板の歪が少なく貯蔵量の把握が的確に行える液体タンクの産業分野で利用することができる。
【００５７】
また、本発明は、底板の歪が少なく貯蔵量の把握が的確に行える液体タンクの製造方法の産業分野で利用することができる。
【図面の簡単な説明】
【００５８】
【図１】本発明の一実施形態例に係る焼酎タンクの断面図である。
【図２】図１中の底板を表す平面図である。
【図３】底板及びタンク本体が固定されていない状態の図１中矢印ＩＩＩ部の詳細図である。
【図４】図３中のＩＶ−ＩＶ線矢視図である。
【図５】タンク本体が固定された状態の図１中矢印ＩＩＩ部の詳細図である。
【図６】図１中ＶＩ部の詳細図である。
【図７】焼酎タンクの製造方法を説明する工程説明図である。
【図８】焼酎タンクの製造方法を説明する工程説明図である。
【図９】焼酎タンクの製造方法を説明する工程説明図である。
【図１０】焼酎タンクの製造方法を説明する工程説明図である。
【図１１】焼酎タンクの製造方法を説明する工程説明図である。
【図１２】焼酎タンクの製造方法を説明する工程説明図である。
【符号の説明】
【００５９】
１  基礎部
２  リング枠
３  アンカー
４  勾配支持部材
５  勾配基礎枠
６  支持アンカー
７  ベース板
８  基礎枠支持板
１１  底板
１２，１３  溶接部
１５  ピット穴
２１  タンク本体
２２  供給口
２３  屋根部
２５  焼酎タンク
３２  ピット
【図１】
2006193171.tif 000003
【図２】
2006193171.tif 000004
【図３】
2006193171.tif 000005
【図４】
2006193171.tif 000006
【図５】
2006193171.tif 000007
【図６】
2006193171.tif 000008
【図７】
2006193171.tif 000009
【図８】
2006193171.tif 000010
【図９】
2006193171.tif 000011
【図１０】
2006193171.tif 000012
【図１１】
2006193171.tif 000013
【図１２】
2006193171.tif 000014